(57)【特許請求の範囲】
【請求項１】
出力端間に１乃至複数の有機ＥＬ素子からなる光源部を接続し、当該光源部に点灯電流を供給する電流供給部と、
前記点灯電流を検出する電流検出部と、
前記点灯電流の目標値を設定する目標設定部と、
前記電流検出部の検出値と前記目標値とが一致するように、前記電流供給部を制御することで、前記点灯電流をフィードバック制御する制御部とを備え、
前記目標設定部は、前記光源部の始動時において、前記目標値を徐々に増加させるスイープ期間を設け、前記点灯電流が供給される前記有機ＥＬ素子の数が少なくなるにつれて、前記スイープ期間を短くすることを特徴とする有機ＥＬ素子点灯装置。
【請求項２】
出力端間に１乃至複数の有機ＥＬ素子からなる光源部を接続し、当該光源部に点灯電流を供給する電流供給部と、
前記点灯電流を検出する電流検出部と、
前記点灯電流の目標値を設定する目標設定部と、
前記電流検出部の検出値と前記目標値とが一致するように、前記電流供給部を制御することで、前記点灯電流をフィードバック制御する制御部とを備え、
前記目標設定部は、前記光源部の始動時において、前記目標値を徐々に増加させるスイープ期間を設け、前記光源部の調光度が深くなるにつれて、前記スイープ期間を短くすることを特徴とする有機ＥＬ素子点灯装置。
【請求項３】
前記電流検出部は、前記点灯電流の検出値を通過させるローパスフィルタを備えることを特徴とする請求項１または２記載の有機ＥＬ素子点灯装置。
【請求項４】
前記電流供給部を複数備え、
前記電流供給部の各々は、互いに異なる前記光源部に前記点灯電流を供給しており、
前記制御部は、前記点灯電流の各々が前記目標値と一致するようにフィードバック制御しており、
前記目標設定部は、前記点灯電流の各々に対して同一の目標値を設定することを特徴とする請求項１乃至３のうちいずれか１項に記載の有機ＥＬ素子点灯装置。
【請求項５】
前記光源部と前記電流供給部と前記制御部とを有する点灯ユニットを複数備え、
前記電流供給部は、入力電源から前記点灯電流を生成しており、
前記点灯ユニットの各々は、前記入力電源に対して着脱自在に構成される電源端子と、前記目標設定部に対して着脱自在に構成される目標値入力端子とを備えることを特徴とする請求項４記載の有機ＥＬ素子点灯装置。
【請求項６】
複数の光源部が直列接続され、
前記光源部の両端間を短絡・開放する短絡開放手段を備えることを特徴とする請求項１乃至５のうちいずれか１項に記載の有機ＥＬ素子点灯装置。
【請求項７】
前記制御部は、前記スイープ期間の前に、前記有機ＥＬ素子の点灯開始電圧以下の電圧を前記電流供給部の出力端間に生成する期間を設けることを特徴とする請求項１乃至６のうちいずれか１項に記載の有機ＥＬ素子点灯装置。
【請求項８】
請求項１乃至７のうちいずれか１項に記載の有機ＥＬ素子点灯装置と、
前記有機ＥＬ素子点灯装置によって点灯される１乃至複数の有機ＥＬ素子からなる光源部と、
前記有機ＥＬ素子点灯装置と前記光源部とが取り付けられる器具本体とを備えることを特徴とする照明器具。
【発明の詳細な説明】
【技術分野】
【０００１】
本発明は、有機ＥＬ素子点灯装置およびこれを用いた照明器具に関するものである。
【背景技術】
【０００２】
従来から、有機エレクトロルミネッセンス素子（以下、有機ＥＬ素子と略称する）を面状光源として利用されており、有機ＥＬを点灯させる有機ＥＬ素子点灯装置が提供されている（例えば、特許文献１参照）。
【先行技術文献】
【特許文献】
【０００３】
【特許文献１】特開２００７−９３７２９号公報
【発明の概要】
【発明が解決しようとする課題】
【０００４】
有機ＥＬ素子は面状光源のため容量成分が大きく、始動時に高いサージ電流が発生しやすい。このサージ電流により、有機ＥＬ素子および有機ＥＬ素子点灯装置の短寿命化や破壊といった問題が発生する。そこで、特許文献１では、有機ＥＬ素子への電力供給経路にインダクタや抵抗を挿入することでサージ電流を低減しているが、インダクタや抵抗によって電力損失が増大するという問題が発生する。
【０００５】
また、図１２に示すように、有機ＥＬ素子は、順方向電圧Ｖｆに対する順方向電流Ｉｆの特性（以降、Ｖ−Ｉ特性と称す）は、サンプル毎や温度等の周囲環境によってばらつくおそれがある。このため、始動のタイミングや光出力上昇スピードが異なる始動ばらつきが発生しやすい。この始動ばらつきは、特に有機ＥＬ素子の始動時において、徐々に出力電圧を上昇させる場合や、フェードインする場合に目立つことになる。
【０００６】
本発明は、上記事由に鑑みてなされたものであり、その目的は、始動時においてサージ電流を低減すると共に、始動ばらつきを抑制することができる有機ＥＬ素子点灯装置および、これを用いた照明器具を提供することにある。
【課題を解決するための手段】
【０００７】
本発明の有機ＥＬ素子点灯装置は、出力端間に１乃至複数の有機ＥＬ素子からなる光源部を接続し、当該光源部に点灯電流を供給する電流供給部と、前記点灯電流を検出する電流検出部と、前記点灯電流の目標値を設定する目標設定部と、前記電流検出部の検出値と前記目標値とが一致するように、前記電流供給部を制御することで、前記点灯電流をフィードバック制御する制御部とを備え、前記目標設定部は、前記光源部の始動時において、前記目標値を徐々に増加させるスイープ期間を設け、前記点灯電流が供給される前記有機ＥＬ素子の数が少なくなるにつれて、前記スイープ期間を短くすることを特徴とする。
本発明の有機ＥＬ素子点灯装置は、出力端間に１乃至複数の有機ＥＬ素子からなる光源部を接続し、当該光源部に点灯電流を供給する電流供給部と、前記点灯電流を検出する電流検出部と、前記点灯電流の目標値を設定する目標設定部と、前記電流検出部の検出値と前記目標値とが一致するように、前記電流供給部を制御することで、前記点灯電流をフィードバック制御する制御部とを備え、前記目標設定部は、前記光源部の始動時において、前記目標値を徐々に増加させるスイープ期間を設け、前記光源部の調光度が深くなるにつれて、前記スイープ期間を短くすることを特徴とする。
【０００８】
この有機ＥＬ素子点灯装置において、前記電流検出部は、前記点灯電流の検出値を通過させるローパスフィルタを備えることが好ましい。
【０００９】
この有機ＥＬ素子点灯装置において、前記電流供給部を複数備え、前記電流供給部の各々は、互いに異なる前記光源部に前記点灯電流を供給しており、前記制御部は、前記点灯電流の各々が前記目標値と一致するようにフィードバック制御しており、前記目標設定部は、前記点灯電流の各々に対して同一の目標値を設定することが好ましい。
【００１０】
この有機ＥＬ素子点灯装置において、前記光源部と前記電流供給部と前記制御部とを有する点灯ユニットを複数備え、前記電流供給部は、入力電源から前記点灯電流を生成しており、前記点灯ユニットの各々は、前記入力電源に対して着脱自在に構成される電源端子と、前記目標設定部に対して着脱自在に構成される目標値入力端子とを備えることが好ましい。
【００１１】
この有機ＥＬ素子点灯装置において、複数の光源部が直列接続され、前記光源部の両端間を短絡・開放する短絡開放手段を備えることが好ましい。
【００１４】
この有機ＥＬ素子点灯装置において、前記制御部は、前記スイープ期間の前に、前記有機ＥＬ素子の点灯開始電圧以下の電圧を前記電流供給部の出力端間に生成する期間を設けることが好ましい。
【００１５】
本発明の照明器具は、出力端間に１乃至複数の有機ＥＬ素子からなる光源部を接続し、当該光源部に点灯電流を供給する電流供給部と、前記点灯電流を検出する電流検出部と、前記点灯電流の目標値を設定する目標設定部と、前記電流検出部の検出値と前記目標値とが一致するように、前記電流供給部を制御することで、前記点灯電流をフィードバック制御する制御部とを備え、前記目標設定部は、前記光源部の始動時において、前記目標値を徐々に増加させるスイープ期間を設けた有機ＥＬ素子点灯装置と、前記有機ＥＬ素子点灯装置によって点灯される１乃至複数の有機ＥＬ素子からなる光源部と、前記有機ＥＬ素子点灯装置と前記光源部とが取り付けられる器具本体とを備えることを特徴とする。
【発明の効果】
【００１６】
以上説明したように、本発明では、始動時においてサージ電流を低減すると共に、始動ばらつきを抑制することができるという効果がある。
【図面の簡単な説明】
【００１７】
【図１】本発明の実施形態１の有機ＥＬ素子点灯装置の回路構成図である。
【図２】コンデンサ電圧Ｖａの増加を示すグラフである。
【図３】（ａ）従来の点灯電流Ｉ１０１の立ち上がりを示すグラフである。（ｂ）従来の点灯電圧Ｖ１０２の立ち上がりを示すグラフである。
【図４】（ａ）実施形態１の点灯電流Ｉ１０１の立ち上がりを示すグラフである。（ｂ）実施形態１の点灯電流Ｉ１０１の立ち上がりを示すグラフである。
【図５】実施形態２の有機ＥＬ素子点灯装置の回路構成図である。
【図６】光源部２０３に印加される電圧を示すグラフである。
【図７】実施形態２の多灯制御可能な有機ＥＬ素子点灯装置の概略図である。
【図８】実施形態３の有機ＥＬ素子点灯装置の回路構成図である。
【図９】実施形態４の有機ＥＬ素子点灯装置の回路構成図である。
【図１０】実施形態５の有機ＥＬ素子点灯装置の回路構成図である。
【図１１】実施形態６の照明器具の概略構成図である。
【図１２】有機ＥＬ素子のＶ−Ｉ特性を示すグラフである。
【発明を実施するための形態】
【００１８】
以下、本発明の実施の形態を図面に基づいて説明する。
【００１９】
（実施形態１）
本実施形態の有機ＥＬ素子点灯装置の回路構成図を図１に示す。本実施形態の有機ＥＬ素子点灯装置は、電源部１０１と電流供給部１０２と制御部１０３と目標設定部１０４と電流検出部１０５と電圧検出部１０６と短絡開放回路１０７とで構成されており、直列接続された複数（図示例では４つ）の光源部１０９を点灯する。なお、各光源部１０９は、同種・同サイズのものが用いられる。
【００２０】
電源部１０１は、整流回路１１１と昇圧チョッパ回路１１２と制御用電源１１３とで構成されている。整流回路１１１は、交流電源Ｅ１０１の出力端間に接続されており、交流電圧を整流平滑して昇圧チョッパ回路１１２に出力する。昇圧チョッパ回路１１２は、インダクタＬ１０１とダイオードＤ１０１とコンデンサＣ１０１とスイッチング素子Ｑ１０１とで構成されている。インダクタＬ１０１とダイオードＤ１０１とコンデンサＣ１０１との直列回路は、整流回路１１１の出力端間に接続されており、ダイオードＤ１０１とコンデンサＣ１０１との直列回路と並列に、スイッチング素子Ｑ１０１が接続されている。そして、図示しないスイッチング制御部によって、スイッチング素子Ｑ１０１がオン・オフ駆動されることで、整流回路１１１の出力電圧を昇圧した電圧Ｖ１０１をコンデンサＣ１０１の両端間に生成する。そして、昇圧チョッパ回路１１２は、電圧Ｖ１０１を電流供給部１０２および制御用電源１１３に出力する。制御用電源１１３は、電圧Ｖ１０１をＤＣ−ＤＣ変換することで、制御部１０３の動作電源となる駆動電圧Ｖｃｃを生成し、制御部１０３に出力する。
【００２１】
電流供給部１０２は、スイッチング素子Ｑ１０２とダイオードＤ１０２とインダクタＬ１０２とコンデンサＣ１０２とで降圧チョッパ回路を構成している。昇圧チョッパ回路１１２の出力端間にスイッチング素子Ｑ１０２とインダクタＬ１０２とコンデンサＣ１０１との直列回路が接続され、インダクタＬ１０２とコンデンサＣ１０１と並列に回生用のダイオードＤ１０２が接続されている。そして、スイッチング素子Ｑ１０２が制御部１０３によってオン・オフ駆動されることで、電圧Ｖ１０１を降圧した点灯電圧Ｖ１０２をコンデンサＣ１０２の両端間に生成する。
【００２２】
また、コンデンサＣ１０２と並列に、直列接続された４つの光源部１０９が接続されている。光源部１０９は、１乃至複数の有機ＥＬ素子で構成されており、電流供給部１０２から点灯電流Ｉ１０１が供給されることで点灯する。
【００２３】
制御部１０３は、点灯電流Ｉ１０１が目標値と一致するように、電流供給部１０２を制御することで、点灯電流Ｉ１０１のフィードバック制御を行う。
【００２４】
電流検出部１０５は、抵抗Ｒ１０１で構成されており、点灯電流Ｉ１０１の供給経路に介挿されている。そして、抵抗Ｒ１０１の両端間に発生する電圧を点灯電流Ｉ１０１の検出値としてコンパレータ１０８の反転入力端子に出力する。
【００２５】
目標設定部１０４は、点灯電流Ｉ１０１の目標値を設定する。目標設定部１０４は、抵抗Ｒ１０２とコンデンサＣ１０２との直列回路と、コンデンサＣ１０２に並列接続される抵抗Ｒ１０３とで構成されている。抵抗Ｒ１０２とコンデンサＣ１０２の直列回路は、一端が制御部１０３に接続され、他端がコンデンサＣ１０２の負極に接続されており、制御部１０３から制御電圧Ｖｃが印加される。この制御電圧ＶｃによってコンデンサＣ１０２が充電され、コンデンサＣ１０２の両端間にコンデンサ電圧Ｖａが生成される。抵抗Ｒ１０２とコンデンサＣ１０２との接続点は、コンパレータ１０８の非反転入力端子に接続されており、コンデンサ電圧Ｖａが点灯電流Ｉ１０１の目標値として出力される。
【００２６】
そして、制御部１０３は、コンパレータ１０８の出力に基づいて、スイッチング素子Ｑ１０２をオン・オフ駆動することで、点灯電流Ｉ１０１の検出値が目標値と一致するように点灯電流Ｉ１０１のフィードバック制御を行う。
【００２７】
次に、本実施形態の有機ＥＬ素子点灯装置の始動時の動作について説明する。
【００２８】
交流電源Ｅ１０１から電源供給されると、制御用電源１１３が駆動電圧Ｖｃｃを生成して制御部１０３に出力する。それにより、制御部１０３が駆動開始し、制御電圧Ｖｃを生成して目標設定部１０４に出力する。このとき、図２に示すように、コンデンサＣ１０２の両端電圧（コンデンサ電圧Ｖａ）は、抵抗Ｒ１０２，Ｒ１０３の抵抗値および、コンデンサＣ１０２の容量で決定される時定数によって、徐々に増加することとなる。すなわち、目標設定部１０４は、点灯電流Ｉ１０１の目標値を徐々に増加させるスイープ期間Ｔｓｗを設けている。そして、制御部１０３は、点灯電流Ｉ１０１のフィードバック制御を行うので、光源部１０９に供給される点灯電流Ｉ１０１が徐々に増加し、光源部１０９が点灯する。なお、抵抗Ｒ１０２，Ｒ１０３の抵抗値および制御電圧Ｖｃの電圧値は、充電完了後のコンデンサ電圧Ｖａが、定常点灯時における点灯電流Ｉ１０１の目標値となるように設定されている。
【００２９】
すなわち、本実施形態では、始動時において光源部１０９を点灯させる際、点灯電流Ｉ１０１の目標値を徐々に増加させることで、光源部１０９に供給される点灯電流Ｉ１０１を徐々に増加させる。従来では、図３（ａ）に示すように、点灯電流Ｉ１０１の目標値を始動直後から定常点灯時の目標値に設定しているため、点灯電流Ｉ１０１の立ち上がりが急峻になり、サージ電流が発生する。しかし、本実施形態では、図４（ａ）に示すように、始動直後は点灯電流Ｉ１０１の目標値を低く設定し、定常点灯時の目標値まで徐々に増加させるので、点灯電流Ｉ１０１の立ち上がりが滑らかになり、サージ電流の発生を抑制することができる。特に、光源部１０９に有機ＥＬ素子のような容量成分の大きい負荷を用いる場合に効果が大きい。さらに、本実施形態では、サージ電流を抑制するために、インダクタ成分や抵抗成分を挿入しておらず、電力損失が増大するおそれもない。
【００３０】
また、従来では、光源部１０９の直列回路に印加される点灯電圧Ｖ１０２も、図３（ｂ）に示すように立ち上がりが急峻となるので、電圧の跳ね上がり（オーバーシュート）が発生するおそれがある。しかし、本実施形態では、図４（ｂ）に示すように、点灯電圧Ｖ１０２の立ち上がりも滑らかになるので、電圧の跳ね上がりも抑制することができる。
【００３１】
また、本実施形態では、点灯電流Ｉ１０１の目標値を徐々に増加させることで、光源部１０９に供給される点灯電流Ｉ１０１を徐々に増加させている。有機ＥＬ素子は、順方向電流と光出力とがほぼ比例関係にあるので、点灯電流Ｉ１０１を徐々に増加させることで、始動タイミングや光出力上昇スピードの始動ばらつきを抑制して、安定した出力制御を行うことができる。
【００３２】
すなわち、始動時において、点灯電流Ｉ１０１が徐々に増加するように点灯電流Ｉ１０１にフィードバック制御を行うことで、サージ電流を低減すると共に、始動ばらつきを抑制することができるという効果を得ることができる。
【００３３】
なお、制御部１０３は、制御用電源１１３から印加される駆動電圧Ｖｃｃを、そのまま制御電圧Ｖｃとして目標設定部１０４に印加してもよい。また、外部から調光信号が入力され、光源部１０９を調光制御する場合、制御部１０３は、調光信号が示す調光度に応じて制御電圧Ｖｃを変動させる。それによって、スイープ期間Ｔｓｗ後（コンデンサＣ１０２の充電完了後）のコンデンサ電圧Ｖａが変動するので、定常点灯時における点灯電流Ｉ１０１の目標値を調節することができ、光源部１０９を調光制御することができる。
【００３４】
また、定常点灯時の調光度が深く設定されている場合、点灯電流Ｉ１０１が小さくなることから、点灯電圧Ｖ１０２も低くなるので、始動時にサージ電流が発生しにくくなる。したがって、本実施形態では、調光信号に基づいて、定常点灯時の調光度が深くなるにつれて、目標設定部１０４はスイープ期間Ｔｓｗを短くする。これにより、始動開始から定常点灯状態に至るまでの時間を短縮化することができる。
【００３５】
なお、スイープ期間Ｔｓｗを短くする手段として、抵抗Ｒ１０２，Ｒ１０３を可変抵抗で構成し、調光信号に基づいて抵抗Ｒ１０２，Ｒ１０３の抵抗値を可変する方法や、制御部１０３からコンデンサＣ１０２に供給される電流値を制御する方法などがある。また、所定の調光度以上であれば、所定のスイープ期間Ｔｓｗを設定し、所定の調光度未満であればスイープ期間Ｔｓｗをゼロにする段階的なものも考えられる。なお、スイープ期間Ｔｓｗをゼロにする手段として、コンデンサＣ１０２の両端間を短絡する方法などがある。なお、調光信号が示す調光度ではなく、点灯電圧Ｖ１０２の値に基づいて、スイープ期間Ｔｓｗを決定してもよい。また、スイープ期間Ｔｓｗの制御は、調光する場合に限らず、光出力調整・補正を行うときに行ってもよい。このとき、スイープ期間Ｔｓｗの変化は、調整・補正信号に基づいて行う。
【００３６】
次に、光源部１０９の間引き制御や取り外しにより、点灯させる光源部１０９の数を減少させる場合について説明する。
【００３７】
本実施形態では、光源部１０９毎に接続されるスイッチ部１７１と、各スイッチ部１７１を制御する遠隔操作ユニット１７２と、各スイッチ部１７１の状態を監視する状態検出部１７３とからなる短絡開放回路１０７（短絡開放手段）を備えている。
【００３８】
各スイッチ部１７１は、スイッチング素子Ｑ１０３と、スイッチング素子Ｑ１０３に接続される分圧抵抗Ｒ１０４，Ｒ１０５の直列回路と、スイッチング素子Ｑ１０４と、スイッチング素子Ｑ１０４に接続される分圧抵抗Ｒ１０６，Ｒ１０７の直列回路とを備える。
【００３９】
スイッチング素子Ｑ１０３は、ＰＮＰ型のバイポーラトランジスタで構成され、光源部１０９にそれぞれ並列に接続される。具体的には、エミッタが光源部１０９の高電位側に接続され、コレクタが光源部１０９の低電位側に接続される。分圧抵抗Ｒ１０４は、一端がスイッチング素子Ｑ１０３のエミッタに接続され、他端がスイッチング素子Ｑ１０３のベースに接続される。
【００４０】
スイッチング素子Ｑ１０４は、ＮＰＮ型のバイポーラトランジスタで構成される。スイッチング素子Ｑ１０４は、コレクタが抵抗Ｒ１０５を介してスイッチング素子Ｑ１０３のベースに接続され、エミッタがスイッチング素子Ｑ１０６，抵抗Ｒ１０１を介してコンデンサＣ１０２の負極に接続される。分圧抵抗Ｒ１０７は、一端がスイッチング素子Ｑ１０４のベースに接続され、他端がスイッチング素子Ｑ１０４のエミッタに接続される。
【００４１】
なお、分圧抵抗Ｒ１０４，Ｒ１０５の抵抗値は、スイッチング素子Ｑ１０４がオンすると、スイッチング素子Ｑ１０３もオンするような値に設定される。
【００４２】
遠隔操作ユニット１７２は、ユーザーが操作可能な位置に設けられる。遠隔操作ユニット１７２は、スイッチ部１７１の個数（図示例では４つ）に応じた個数の操作スイッチＱ１０５と、操作スイッチＱ１０５の一端と制御用電源１１３とに両端がそれぞれ接続される４つの抵抗Ｒ１０８とを備える。各操作スイッチＱ１０５の他端は、抵抗Ｒ１０６にそれぞれ接続される。
【００４３】
操作スイッチＱ１０５には押しボタンスイッチなどが用いられ、ユーザーによって操作される。操作スイッチＱ１０５がオンすると、駆動電圧Ｖｃｃが分圧抵抗Ｒ１０６，Ｒ１０７で分圧されてスイッチング素子Ｑ１０４のベースに印加され、スイッチング素子Ｑ１０４がオンする。スイッチング素子Ｑ１０４がオンすると、上述したようにスイッチング素子Ｑ１０３もオンし、光源部１０９の両端が短絡されて光源部１０９が消灯する。すなわち、各操作スイッチＱ１０５をそれぞれ操作することにより、操作スイッチＱ１０５に対応した光源部１０９の両端間が短絡・開放されるので、各光源部１０９を点灯・消灯制御することができる。なお、操作スイッチＱ１０５は、図示しないスイッチ制御部によってオン・オフ制御されてもよい。この場合、スイッチ制御部は、外部から入力される点灯制御信号に基づいて、各操作スイッチＱ１０５のオン・オフを行う。
【００４４】
また、光源部１０９は有機ＥＬ素子点灯装置に対して着脱自在に構成されており、機械的な接続（着脱検出スイッチ等）で光源部１０９の着脱状態を検出する。そして、光源部１０９が取り外された場合、図示しないスイッチ制御部が、取り外された光源部１０９に対応する操作スイッチＱ１０５をオンする。それによって、スイッチング素子Ｑ１０３を介して、取り外されていない光源部１０９に点灯電流Ｉ１０１を供給し、点灯させることができる。
【００４５】
そして、状態検出部１７３は、各操作スイッチＱ１０５の一端側の電圧を検出することで、点灯させる光源部１０９の個数を監視している。点灯させる光源部１０９の数が減少するほど、サージ電流量が減るので有機ＥＬ素子点灯装置の回路ストレスが低減される。したがって、本実施形態では、点灯させる光源部１０９の数が少なくなるにつれて、目標設定部１０４はスイープ期間Ｔｓｗを短くする。なお、スイープ期間Ｔｓｗの制御は、上述した方法が用いられる。これにより、始動開始から定常点灯状態に至るまでの時間を短縮化することができる。
【００４６】
また、全ての光源部１０９が消灯または取り外されて、負荷短絡状態となった場合、状態検出部１７３がこれを検出し、制御部１０３に停止信号を出力する。そして、制御部１０３はスイッチング素子Ｑ１０２をオフ状態に維持する。それによって、点灯電流Ｉ１０１の供給が停止し、回路破壊を防止することができる。また、状態検出部１７３は、負荷短絡状態を検出した場合、スイッチング素子Ｑ１０６をオフして、点灯電流Ｉ１０１の供給経路を遮断するように構成してもよい。この場合、電流供給部１０２のコンデンサＣ１０２の放電時間を考慮することなく、瞬時に保護動作を行うことができるので、信頼性・安全性を向上させることができる。また、状態検出部１７３の代わりに、電流検出部１０５の検出値を用いて負荷短絡状態を検出するように構成してもよい。この場合、電流検出部１０５の検出値が、所定値以上となった場合、スイッチング素子Ｑ１０２またはスイッチング素子Ｑ１０６をオフする。
【００４７】
また、本実施形態では、点灯電流Ｉ１０１をフィードバック制御しているので、点灯させる光源部１０９の数を減少した場合であっても、光源部１０９に過電圧が印加されることはなく、光源部１０９の破壊を防止することができる。
【００４８】
また、本実施形態の有機ＥＬ素子点灯装置は、点灯電圧Ｖ１０２を検出する電圧検出部１０６を備えている。電圧検出部１０６は、抵抗Ｒ１０９，Ｒ１１０の直列回路で構成され、コンデンサＣ１０２と並列接続されている。そして、抵抗Ｒ１０９，Ｒ１１０による点灯電圧Ｖ１０２の分圧値を、点灯電圧Ｖ１０２の検出値として制御部１０３に出力する。そして、制御部１０３は、電圧検出部１０６の検出値が所定の閾値以上となった場合、異常状態と判断し、スイッチング素子Ｑ１０２のオン・オフ駆動を停止する保護動作を行う。
【００４９】
なお、本実施形態の電流供給部１０２は、降圧チョッパ回路で構成されているが、これに限定するものではない。例えば、昇圧チョッパ回路，昇降圧チョッパ回路，フライバックコンバータ，フォワードコンバータ，ハーフブリッジコンバータ，フルブリッジコンバータ，プッシュプルコンバータ，他のスイッチング電源や、これらを組み合わせた構成でもよい。なお、スイッチング周波数は数十ｋｚ〜数ＭＨｚ程度に設定される。
【００５０】
なお、目標設定部１０４をマイクロコンピュータで構成し、点灯電流Ｉ１０１の目標値を徐々に増加するように構成してもよい。
【００５１】
（実施形態２）
本実施形態の有機ＥＬ素子点灯装置の回路構成図を図５に示す。本実施形態の有機ＥＬ素子点灯装置は、定電圧ユニット２０１と定電流ユニット２０２とで構成されている。定電圧ユニット２０１は、交流電源Ｅ２０１を入力として、所定の電圧Ｖ２０２を生成し、定電流ユニット２０２に出力する。定電流ユニット２０２は、電圧Ｖ２０２を入力として光源部２０３に点灯電流Ｉ２０１を供給することで光源部２０３を点灯させる。
【００５２】
定電圧ユニット２０１（入力電源）は、入力部２１０とローパスフィルタ２１１と整流回路部２１２と制御電源回路２１３と昇圧チョッパ回路２１４と降圧チョッパ回路２１５と定電圧制御部２１６とタイマ２１７と目標設定部２１８と出力部２１９とを有する。
【００５３】
入力部２１０は、交流電源Ｅ２０１に接続され、ローパスフィルタ２１１は、入力部２１０からの交流電圧を正弦波状にするため、その高周波成分を除去する。整流回路部２１２は、ダイオードブリッジを用いてローパスフィルタ２１１からの交流電圧を全波整流する。制御電源回路２１３は、整流回路部２１２の出力に接続され、駆動電圧Ｖｃｃ１を生成し、昇圧チョッパ回路２１４に供給する。
【００５４】
昇圧チョッパ回路２１４は、チョークコイルＬ２０１とｎチャネルＭＯＳＦＥＴからなるスイッチング素子Ｑ２０１と、ダイオードＤ２０１と、抵抗Ｒ２０１と、コンデンサＣ２０１と、スイッチング素子Ｑ２０１を駆動する駆動回路２１４ａとを有する。チョークコイルＬ２０１とダイオードＤ２０１とコンデンサＣ２０１とで直列回路を形成し、制御電源回路２１３の出力端間に接続されている。また、ダイオードＤ２０１とコンデンサＣ２０１の直列回路と並列に、スイッチング素子Ｑ２０１と抵抗Ｒ２０１との直列回路が接続されている。そして、スイッチング素子Ｑ２０１が駆動回路２１４ａによってオン・オフ駆動されることで、コンデンサＣ２０１の両端に駆動電圧Ｖｃｃ１を昇圧した電圧Ｖ２０１を生成する。
【００５５】
チョークコイルＬ２０１に結合される二次側コイルＬ２０２は、一端が定電圧制御部２１６に接続され、他端が接地されている。そして、チョークコイルＬ２０１に発生する電圧を検出して、定電圧制御部２１６に制御電源電圧を供給する。また、コンデンサＣ２０１と並列に、抵抗Ｒ２０１，Ｒ２０２からなる直列回路が接続されており、抵抗Ｒ２０１，Ｒ２０２による電圧Ｖ２０１の分圧値を、電圧Ｖ２０１の検出値として定電圧制御部２１６に出力する。
【００５６】
そして、定電圧制御部２１６は、電圧Ｖ２０１が所定値となるように、駆動回路２１４ａを制御して、スイッチング素子Ｑ２０１のスイッチング制御を行うことで、電圧Ｖ２０１のフィードバック制御を行っている。
【００５７】
降圧チョッパ回路２１５は、スイッチング素子Ｑ２０２とチョークコイルＬ２０３とコンデンサＣ２０２とダイオードＤ２０２と駆動回路２１５ａとを有する。コンデンサＣ２０１の両端間に、スイッチング素子Ｑ２０２とチョークコイルＬ２０３とコンデンサＣ２０２との直列回路が接続され、チョークコイルＬ２０３とコンデンサＣ２０２との直列回路と並列に回生用のダイオードＤ２０２が接続される。そして、駆動回路２１５ａがスイッチング素子Ｑ２０２をオン・オフ駆動することで、電圧Ｖ２０１を降圧した電圧Ｖ２０２がコンデンサＣ２０２の両端に生成される。
【００５８】
また、コンデンサＣ２０２と並列に、抵抗Ｒ２０３，Ｒ２０４からなる直列回路が接続されており、抵抗Ｒ２０３，Ｒ２０４による電圧Ｖ２０２の分圧値を、電圧Ｖ２０２の検出値として定電圧制御部２１６に出力する。
【００５９】
そして、定電圧制御部２１６は、電圧Ｖ２０２が所定値となるように、駆動回路２１５ａを制御して、スイッチング素子Ｑ２０２のスイッチング制御を行うことで、電圧Ｖ２０２のフィードバック制御を行っている。
【００６０】
出力部２１９は、コンデンサＣ２０２の正極，負極のそれぞれに接続される電源端子を備えており、各電源端子は、定電流ユニット２０２の入力部２２０に設けられた電源端子に接続される。
【００６１】
すなわち、定電圧ユニット２０１は、交流電源Ｅ２０１を入力として電圧Ｖ２０２を生成し、定電流ユニット２０２に供給する。
【００６２】
次に、定電流ユニット２０２について説明する。定電流ユニット２０２は、入力部２２０と、制御電源回路２２１と、昇圧チョッパ回路２２２（電流供給部）と、出力部２２３と、定電流制御部２２４（制御部）と、電流検出部２２５と、コンパレータ２２６とを有する。
【００６３】
入力部２２０は、出力部２１９の一対の電源端子に接続される一対の電源端子を備えており、電源端子間に電圧Ｖ２０２が印加される。制御電源回路２２１は、抵抗Ｒ２０５，Ｒ２０６の直列回路と、抵抗Ｒ２０６に並列接続されるツェナーダイオードＺＤ２０１とで構成されており、電圧Ｖ２０２から定電流制御部２２４の駆動電源となる駆動電圧Ｖｃｃ２を生成して、定電流制御部２２４に供給する。
【００６４】
昇圧チョッパ回路２２２は、チョークコイルＬ２０４とスイッチング素子Ｑ２０３とダイオードＤ２０３とコンデンサＣ２０３と駆動回路２２２ａとを有する。コンデンサＣ２０２の両端間に、出力部２１９，入力部２２０を介して、チョークコイルＬ２０４とダイオードＤ２０３とコンデンサＣ２０３との直列回路が接続され、ダイオードＤ２０３とコンデンサＣ２０３との直列回路と並列にスイッチング素子Ｑ２０３が接続される。そして、駆動回路２２２ａがスイッチング素子Ｑ２０３をオン・オフ駆動することで、電圧Ｖ２０２を昇圧した電圧Ｖ２０３をコンデンサＣ２０３の両端に生成する。
【００６５】
出力部２２３は、コンデンサＣ２０３の正極，負極のそれぞれに接続される一対の出力端子を備えており、この出力端子間に１乃至複数の有機ＥＬ素子からなる光源部２０３が接続される。そして、昇圧チョッパ回路２２２から出力部２２３を介して光源部２０３に点灯電流Ｉ２０１が供給されることで光源部２０３が点灯する。
【００６６】
また、点灯電流Ｉ２０１を検出する電流検出部２２５を備えている。電流検出部２２５は、抵抗Ｒ２０７で構成されており、点灯電流Ｉ２０１の供給経路に介挿されている。そして、抵抗Ｒ２０７の両端電圧を点灯電流Ｉ２０１の検出値としてコンパレータ２２６の反転入力端子に出力する。
【００６７】
また、定電圧ユニット２０１に設けられた目標設定部２１８は、点灯電流Ｉ２０１の目標値を設定する。出力部２１９は、目標設定部２１８に接続される目標値出力端子を備え、入力部２２０は、コンパレータ２２６の非反転入力端子に接続される目標値入力端子を備えている。そして、出力部２１９と入力部２２０とが接続されることで目標出力端子と目標入力端子とが接続され、目標設定部２１８から点灯電流Ｉ２０１の目標値がコンパレータ２２６の非反転入力端子に出力される。
【００６８】
定電流制御部２２４は、点灯電流Ｉ２０１の検出値と目標値とが一致するように、コンパレータ２２６の出力に基づいて駆動回路２２２ａを制御することでスイッチング素子Ｑ２０３のスイッチング制御し、点灯電流Ｉ２０１のフィードバック制御を行う。
【００６９】
また、目標設定部２１８は、始動時において、点灯電流Ｉ２０１の目標値を徐々に増加させるように構成されている。目標設定部２１８が目標値の増加を開始するタイミングは、タイマ２１７によって決定される。
【００７０】
次に、本実施形態の有機ＥＬ素子点灯装置の始動時の動作について図６を用いて説明する。時間ｔ２００において電源が投入され、制御電源回路２１３が駆動電圧Ｖｃｃ１を出力すると、タイマ２１７がカウントを開始する。そして、時間ｔ２０１になると、タイマ２１７は、定電圧制御部２１６に動作開始を指示する。これにより、定電圧制御部２１６がスイッチング素子Ｑ２０１，Ｑ２０２のスイッチング制御を開始し、電圧Ｖ２０２が生成されて定電流ユニット２０２に供給される。
【００７１】
このとき、タイマ２１７は、まだ目標設定部２１８に動作開始の指示を出しておらず、点灯電流Ｉ２０１の目標値はゼロのままとなる。そのため、昇圧チョッパ回路２２の動作は停止状態となる。しかし、昇圧チョッパ回路２２２は、入力側と出力側とが非絶縁状態であるので、昇圧チョッパ回路２２２を介して電圧Ｖ２０２が光源部２０３に印加される。
【００７２】
このとき、定電圧制御部２１６は、電圧Ｖ２０２が光源部２０３の点灯開始電圧Ｖｓ以下となるようにフィードバック制御している。すなわち、光源部２０３を構成する有機ＥＬ素子に印加される電圧が、有機ＥＬ素子の点灯開始電圧Ｖｆ１以下となるように電圧Ｖ２０２がフィードバック制御される（図１２参照）。したがって、このとき光源部２０３は消灯状態となる。
【００７３】
そして、タイマ２１７は時間ｔ２０２において、目標設定部２１８に動作開始を指示し、目標設定部２１８は、点灯電流Ｉ２０１の目標値の増加を開始する。目標設定部２１８は、点灯電流Ｉ２０１の目標値をゼロから定常点灯時の目標値まで徐々に増加させる（スイープ期間Ｔｓｗ）。定電流制御部２２４は、点灯電流Ｉ２０１の検出値が目標値と一致するようにフィードバック制御するので、点灯電流Ｉ２０１が徐々に増加し、光源部２０３が点灯する。
【００７４】
図１２に示すように、有機ＥＬ素子は電流が流れ始める点灯開始電圧Ｖｆ１がある程度高い電圧値となる。このため、始動時において点灯電流Ｉ２０１を徐々に増加させた場合であっても、電圧が急に点灯開始電圧Ｖｆ１まで上昇することになり、有機ＥＬ素子の容量成分を充電するためのインラッシュ電流（サージ電流）が流れるおそれがある。しかし、本実施形態では、光源部２０３が点灯する前に、光源部２０３の点灯開始電圧Ｖｓ以下の電圧を光源部２０３に印加する期間（時間ｔ２０１〜ｒ２０２）を設け、有機ＥＬ素子の容量成分をある程度充電された状態にする。これにより、点灯開始時におけるインラッシュ電流（サージ電流）を低減することができる。なお、電圧Ｖ２０２を点灯開始電圧Ｖｓに近づけるほどサージ低減効果が大きくなり、電圧Ｖ２０２が点灯開始電圧Ｖｓとなるようにフィードバック制御することで、サージ電流を最も低減させることができる。
【００７５】
また、光源部２０３の始動時において、点灯電流Ｉ２０１が徐々に上昇するように点灯電流Ｉ２０１のフィードバック制御を行っているので、実施形態１と同様に始動ばらつきを低減することができる。また、定常点灯時においても、点灯電流Ｉ２０１のフィードバック制御を行うことで、周囲温度や個体差によるＶ−Ｉ特性のばらつきによる光出力のばらつきも抑制することができる。
【００７６】
このように、本実施形態では、始動時においてサージ電流をより低減することができると共に、始動ばらつきを抑制することができるという効果を得ることができる。
【００７７】
また、本実施形態では、始動前において、定電圧ユニット２０１を用いて、光源部２０３に点灯開始電圧Ｖｓ以下の電圧を印加するように構成されている。このため、光源部２０３に点灯開始電圧Ｖｓ以下の電圧を印加する電源回路を別途設ける必要がなく、部品数削減および小型化を図ることができる。
【００７８】
なお、点灯後は、定電流ユニット２０２によって点灯電流Ｉ２０１のフィードバック制御が行われるので、電圧Ｖ２０２が点灯開始電圧Ｖｓよりも高くなるように制御してもよい。電圧Ｖ２０２を上昇させることで、定電流ユニット２０２の出力電流が低減し、消費電力を低減させることができる。
【００７９】
なお、定電圧ユニット２０１の降圧チョッパ回路２１５は、非絶縁型の降圧チョッパ回路で構成されているが、トランスを用いた絶縁型の降圧チョッパ回路で構成されていてもよい。
【００８０】
なお、時間ｔ２０１において、電圧Ｖ２０２が、図６に示すように急峻に立ち上がるように構成してもよいし、滑らかに立ち上がるように構成してもよい。電圧Ｖ２０２の立ち上がりを急峻にすることで、始動時間の短縮化を図ることができ、立ち上がりを滑らかにすることで、電圧Ｖ２０２を光源部２０３に印加することによるサージ電流を抑制することができる。
【００８１】
また、図７に示すように、定電圧ユニット２０１に複数（図示例では４つ）の出力部２１９を設け、それぞれに定電流ユニット２０２を接続することで多灯制御可能な有機ＥＬ素子点灯装置を構成してもよい。この有機ＥＬ素子点灯装置では、定電流ユニット２０２と光源部２０３とで点灯ユニット２０４を構成している。定電圧ユニット２０１の出力部２１９と、定電流ユニット２０２の入力部２２０とが着脱自在に構成されており、点灯ユニット２０４の取り外しや交換が可能となっている。
【００８２】
また、点灯ユニット２０４毎で点灯電流Ｉ２０１のフィードバック制御が行われる。各点灯ユニット２０４には、定電圧ユニット２０１に設けられた目標設定部２１８から、同一の点灯電流Ｉ２０１の目標値が設定される。そのため、各点灯ユニット２０４間で光源部２０３の始動ばらつきを抑制することができる。
【００８３】
また、１つの定電圧ユニット２０１を用いて各定電流ユニット２０２に電圧Ｖ２０２を出力するように、定電圧ユニット２０１が共通化されているので、より部品数削減および小型化を図ることができる。
【００８４】
また、点灯させる光源部２０３を選択する選択制御や取り外しなどにより、光源部２０３および回路素子の劣化度合い（例えば、コンデンサの容量の低減度合いなど）が点灯ユニット２０４毎に異なる場合がある。しかし、このような場合でも、始動時に点灯電流Ｉ２０１が徐々に増加するようにフィードバック制御することで、点灯ユニット２０４間の始動のタイミングや光出力上昇スピードなどの始動ばらつきを低減することができる。
【００８５】
（実施形態３）
本実施形態の有機ＥＬ素子点灯装置の回路構成図を図８に示す。本実施形態の有機ＥＬ素子点灯装置は、電力供給ユニット３０１と定電圧ユニット３０２とで構成されている。電力供給ユニット３０１は、入力部３１０と、制御電源回路３１１と、降圧チョッパ回路３１２と、出力部３１３と、制御部３１４と、電流検出部３１５と、電圧検出部３１６と、目標電流設定部３１７と、目標電圧設定部３１８とで構成されている。
【００８６】
定電圧ユニット３０２は、交流電源Ｅ３０１に接続されており、交流電源Ｅ３０１の交流電圧を直流電圧Ｖ３０１に変換して電力供給ユニット３０１に供給する。
【００８７】
入力部３１０は、定電圧ユニット３０２に接続されており、直流電圧Ｖ３０１が印加される。制御電源回路３１１は、抵抗Ｒ３０１，Ｒ３０２の直列回路と、抵抗Ｒ３０２に並列接続されるツェナーダイオードＺＤ３０１とで構成されており、直流電圧Ｖ３０１から駆動電圧Ｖｃｃを生成して、制御部３１４，目標電流設定部３１７，目標電圧設定部３１８に供給する。
【００８８】
降圧チョッパ回路３１２（電流供給部）は、スイッチング素子Ｑ３０１とチョークコイルＬ３０１とコンデンサＣ３０１とダイオードＤ３０１と駆動回路３１２ａとで構成されている。入力部３１０の端子間にスイッチング素子Ｑ３０１とチョークコイルＬ３０１とコンデンサＣ３０１との直列回路が接続され、チョークコイルＬ３０１とコンデンサＣ３０１との直列回路と並列に、回生用のダイオードＤ３０１が接続される。そして、駆動回路３１２ａがスイッチング素子Ｑ３０１をオン・オフ駆動することで、直流電圧Ｖ３０１を降圧した点灯電圧Ｖ３０２がコンデンサＣ３０１の両端に生成される。
【００８９】
出力部３１３を介して、コンデンサＣ３０１と並列に光源部３０３が接続されており、点灯電圧Ｖ３０２が生成されることで、光源部３０３に点灯電流Ｉ３０１が供給されて光源部３０３が点灯する。なお、光源部３０３は、１乃至複数の有機ＥＬ素子で構成される。
【００９０】
電流検出部３１５は、抵抗Ｒ３０３で構成されており、点灯電流Ｉ３０１の供給経路に介挿されており、抵抗Ｒ３０３の両端電圧を点灯電流Ｉ３０１の検出値としてコンパレータ３１９ａの反転入力端子に出力する。
【００９１】
コンパレータ３１９ａの非反転入力端子には、目標電流設定部３１７から点灯電流Ｉ３０１の目標値が入力される。目標電流設定部３１７（目標設定部）は、点灯電流Ｉ３０１の目標値を設定しており、スイッチング素子Ｑ３０２と抵抗Ｒ３０６とコンデンサＣ３０２との直列回路と、コンデンサＣ３０２に並列接続される抵抗Ｒ３０７とで構成されている。スイッチング素子Ｑ３０２と抵抗Ｒ３０６とコンデンサＣ３０２との直列回路は、一端が制御電源回路３１１に接続され、他端が接地されており、制御電源回路３１１から駆動電圧Ｖｃｃが印加される。スイッチング素子Ｑ３０２は、制御部３１４によってスイッチング制御されており、スイッチング素子Ｑ３０２がオンしている場合、駆動電圧Ｖｃｃによって、コンデンサＣ３０２が充電される。抵抗Ｒ３０６とコンデンサＣ３０２との接続点は、コンパレータ３１９ａの非反転入力端子に接続されており、コンデンサＣ３０２の両端電圧が点灯電流Ｉ３０１の目標値として出力される。
【００９２】
電圧検出部３１６は、抵抗Ｒ３０４，Ｒ３０５からなる直列回路がコンデンサＣ３０１に並列接続されることで構成されている。そして、抵抗Ｒ３０４，Ｒ３０５による点灯電圧Ｖ３０２の分圧値を、点灯電圧Ｖ３０２の検出値としてコンパレータ３１９ｂの反転入力端子に出力する。
【００９３】
コンパレータ３１９ｂの非反転入力端子には、目標電圧設定部３１８から点灯電圧Ｖ３０２の目標値が入力される。目標電圧設定部３１８は、点灯電圧Ｖ３０２の目標値を設定しており、スイッチング素子Ｑ３０３と抵抗Ｒ３０８とコンデンサＣ３０３との直列回路と、コンデンサＣ３０３に並列接続される抵抗Ｒ３０９とで構成されている。スイッチング素子Ｑ３０３と抵抗Ｒ３０８とコンデンサＣ３０３との直列回路は、一端が制御電源回路３１１に接続され、他端が接地されており、制御電源回路３１１から駆動電圧Ｖｃｃが印加される。スイッチング素子Ｑ３０３は、制御部３１４によってスイッチング制御されており、スイッチング素子Ｑ３０３がオンしている場合、駆動電圧Ｖｃｃによって、コンデンサＣ３０３が充電される。抵抗Ｒ３０８とコンデンサＣ３０３との接続点は、コンパレータ３１９ｂの非反転入力端子に接続されており、コンデンサＣ３０３の両端電圧が点灯電圧Ｖ３０２の目標値として出力される。
【００９４】
制御部３１４は、コンパレータ３１９ａ，３１９ｂの出力に基づいて駆動回路３１２ａを制御することでスイッチング素子Ｑ３０１のスイッチング制御を行っており、点灯電圧Ｖ３０２と点灯電流Ｉ３０１とのフィードバック制御を切替えて制御している。
【００９５】
次に、本実施形態の有機ＥＬ素子点灯装置の始動時の動作について説明する。制御部３１４は、始動時において、まず点灯電圧Ｖ３０２のフィードバック制御を行い、その後点灯電流Ｉ３０１のフィードバック制御に移行する。
【００９６】
始動時において、制御部３１４は、コンパレータ３１９ｂの出力に基づいて点灯電圧Ｖ３０２のフィードバック制御を行う。まず、制御部３１４は、スイッチング素子Ｑ３０３をオンする。スイッチング素子Ｑ３０３がオンされることによって、コンデンサＣ３０３が充電される。このとき、コンデンサＣ３０３の両端電圧は、抵抗Ｒ３０８，３０９の抵抗値および、コンデンサＣ３０３の容量で決定される時定数によって、徐々に増加することとなる。すなわち、目標電圧設定部３１８は、点灯電圧Ｖ３０２の目標値を徐々に増加させる。これにより、光源部３０３に印加される点灯電圧Ｖ３０２が徐々に増加することとなる。
【００９７】
そして、制御部３１４は、点灯電圧Ｖ３０２が光源部３０３の点灯開始電圧Ｖｓ以下の所定値に達すると、スイッチング素子Ｑ３０２をオンし、コンパレータ３１９ａの出力に基づいて点灯電流Ｉ３０１のフィードバック制御に移行する。スイッチング素子Ｑ３０２がオンされることによって、コンデンサＣ３０２が充電される。このとき、コンデンサＣ３０２の両端電圧は、抵抗Ｒ３０６，３０７の抵抗値および、コンデンサＣ３０２の容量で決定される時定数によって、徐々に増加することとなる。すなわち、目標電流設定部３１７は、点灯電流Ｉ３０１の目標値を徐々に増加させるスイープ期間Ｔｓｗを設けている。これにより、光源部３０３に供給される点灯電流Ｉ３０１が徐々に増加し、光源部３０３が点灯する。
【００９８】
このように、本実施形態では、光源部３０３が点灯する前（スイープ期間Ｔｓｗの前）に、光源部３０３の点灯開始電圧Ｖｓ以下の電圧を光源部３０３に印加する期間を設け、有機ＥＬ素子の容量成分をある程度充電された状態にする。これにより、点灯開始時におけるインラッシュ電流（サージ電流）を低減することができる。
【００９９】
また、光源部３０３の始動時において、点灯電流Ｉ３０１が徐々に上昇するように点灯電流Ｉ３０１のフィードバック制御を行っているので、実施形態１と同様に始動ばらつきを低減することができる。
【０１００】
さらに、本実施形態では、点灯電圧Ｖ３０２と点灯電流Ｉ３０１との両方のフィードバック制御を行っているので、光源部３０３に対してばらつきが少なく精度の高い点灯電圧Ｖ３０２，点灯電流Ｉ３０１を供給することができる。また、１つの降圧チョッパ回路３１２を用いて、点灯電圧Ｖ３０２と点灯電流Ｉ３０１との両方のフィードバック制御を行っているので、部品数削減および小型化を図ることができる。
【０１０１】
なお、点灯電圧Ｖ３０２のフィードバック制御から点灯電流Ｉ３０１のフィードバック制御への切換えは、点灯電圧Ｖ３０２が光源部３０３の点灯開始電圧Ｖｓ以上であってもよい。この場合、光源部３０３を構成する有機ＥＬ素子のＶ−Ｉ特性のばらつきに関係なく、点灯電圧Ｖ３０２を所望のスピードで増加させるので、始動時のサージ電流を低減することができる。
【０１０２】
なお、目標電流設定部３１７，目標電圧設定部３１８をマイクロコンピュータで構成し、点灯電圧Ｖ３０２の目標値および点灯電流Ｉ３０１の目標値を徐々に増加するように構成してもよい。
【０１０３】
（実施形態４）
本実施形態の有機ＥＬ素子点灯装置４０１の回路構成図を図９に示す。
【０１０４】
本実施形態の有機ＥＬ素子点灯装置４０１は、整流回路４１１と降圧チョッパ回路４１２と制御部４１３と電流検出部４１４と目標設定部４１５とコンパレータ４１６とで構成される。
【０１０５】
整流回路４１１は、交流電源Ｅ４０１に接続されており、交流電源Ｅ４０１の交流電圧を整流平滑して降圧チョッパ回路４１２に出力する。
【０１０６】
降圧チョッパ回路４１２（電流供給部）は、スイッチング素子Ｑ４０１とインダクタＬ４０１とコンデンサＣ４０１とダイオードＤ４０１とで構成されている。整流回路４１１の出力端間に、スイッチング素子Ｑ４０１とインダクタＬ４０１とコンデンサＣ４０１との直列回路が接続され、インダクタＬ４０１とコンデンサＣ４０１との直列回路と並列に、回生用のダイオードＤ４０１が接続されている。そして、制御部４１３によって、スイッチング素子Ｑ４０１がスイッチング制御されることで、コンデンサＣ４０１の両端に点灯電圧Ｖ４０１を生成する。
【０１０７】
コンデンサＣ４０１の両端間には光源部４０２が接続され、降圧チョッパ回路４１２から点灯電流Ｉ４０１が供給されることで光源部４０２が点灯する。
【０１０８】
電流検出部４１４は、抵抗Ｒ４０１とローパスフィルタ４１４ａとで構成されており、抵抗Ｒ４０１の両端電圧を点灯電流Ｉ４０１の検出値としてコンパレータ４１６に反転入力端子に出力する。
【０１０９】
また、コンパレータ４１６の非反転入力端子には目標設定部４１５が接続されており、目標設定部４１５から点灯電流Ｉ４０１の目標値が出力される。
【０１１０】
そして、制御部４１３は、コンパレータ４１６の出力に基づき、スイッチング素子Ｑ４０１をスイッチング制御することで、点灯電流Ｉ４０１が目標値と一致するように、点灯電流Ｉ４０１のフィードバック制御を行っている。
【０１１１】
始動時において、目標設定部４１５は、点灯電流Ｉ４０１の目標値をゼロから定常点灯時の目標値まで徐々に増加させる（スイープ期間Ｔｓｗ）。制御部４１３は、点灯電流Ｉ４０１の検出値が目標値と一致するようにフィードバック制御するので、点灯電流Ｉ４０１が徐々に増加し、光源部４０２が点灯する。したがって、実施形態１と同様に、サージ電流を抑制すると共に、始動ばらつきを低減することができる。
【０１１２】
また、本実施形態の電流検出部４１４は、ローパスフィルタ４１４ａを備えている。ローパスフィルタ４１４ａは、抵抗Ｒ４０２とコンデンサＣ４０２との直列回路が抵抗Ｒ４０１に並列接続されることで構成されており、抵抗Ｒ４０２とコンデンサＣ４０２の接続点がコンパレータ４１６の反転入力端子に接続されている。ローパスフィルタ４１４ａは、点灯電流Ｉ４０１の検出値を通過させるように設定されており、サージ電流をカットする。図１２に示すように、有機ＥＬ素子は電流が流れ始める点灯開始電圧Ｖｆ１がある程度高い電圧値となる。このため、始動時において点灯電流Ｉ４０１を徐々に増加させた場合であっても、電圧が急に点灯開始電圧Ｖｆ１まで上昇することになり、有機ＥＬ素子の容量成分を充電するためのサージ電流が流れるおそれがある。しかし、本実施形態では、サージ電流をカットするローパスフィルタ４１４ａを備えているので、制御部４１３がサージ電流による誤動作を防止することができる。
【０１１３】
また、本実施形態の光源部４０２は、他の光源部４０２と電気接続が可能となるように構成され、光源部４０２を直列接続することができる。なお、光源部４０２を個別に識別する場合、光源部４０２ａ，４０２ｂと称し、光源部４０２ａは有機ＥＬ素子点灯装置４０１に接続され、光源部４０２ｂは光源部４０１ａに接続される。
【０１１４】
光源部４０２は、有機ＥＬ素子４２１と、抵抗Ｒ４０３と、スイッチング素子Ｑ４０２と、電源側端子４２２と、拡張側端子４２３とを備える。電源側端子４２２は、電源端子Ｐ４０１とＧＮＤ端子Ｐ４０２，Ｐ４０３とで構成され、拡張側端子４２３は、電源端子Ｐ４０４とゲート端子Ｐ４０５とＧＮＤ端子Ｐ４０６とで構成される。
【０１１５】
光源部４０２ａは、電源端子Ｐ４０１が、コンデンサＣ４０１の正極端子に接続され、ＧＮＤ端子Ｐ４０２，Ｐ４０３，Ｐ４０６が、抵抗Ｒ４０１を介してコンデンサＣ４０１の負極端子に接続される。また、電源端子Ｐ４０１，Ｐ４０４間に有機ＥＬ素子４２１が接続されており、有機ＥＬ素子４２１と並列に抵抗Ｒ４０４が接続されている。また、電源端子Ｐ４０４−ＧＮＤ端子Ｐ４０６間にスイッチング素子Ｑ４０２が接続されており、スイッチング素子Ｑ４０２のゲート端子は、ゲート端子Ｐ４０５および、抵抗Ｒ４０３を介して電源端子Ｐ４０１に接続されている。
【０１１６】
また、光源部４０２ｂは、電源側端子４２２が光源部４０２ａの拡張側端子４２３に接続されている。具体的には、光源部４０２ｂの電源端子Ｐ４０１が光源部４０２ａの電源端子Ｐ４０４に接続される。また、光源部４０２ｂのＧＮＤ端子Ｐ４０２が光源部４０２ａのゲート端子Ｐ４０５に接続される。また、光源部４０２ｂのＧＮＤ端子Ｐ４０３が光源部４０２ａのＧＮＤ端子Ｐ４０６に接続される。また、光源部４０２ｂの拡張側端子４２３には他の光源部４０２が接続されていない。
【０１１７】
上記構成において、光源部４０２ａのゲート端子Ｐ４０５は、光源部４０２ｂのＧＮＤ端子Ｐ４０３に接続されるので、光源部４０２ａのスイッチング素子Ｑ４０２のゲート端子が接地され、スイッチング素子Ｑ４０２がオフする。一方、光源部４０２ｂのスイッチング素子Ｑ４０２のゲート端子には、光源部４０２ａを介して点灯電圧Ｖ４０１が印加されるので、スイッチング素子Ｑ４０２がオンする。
【０１１８】
すなわち、拡張側端子４２３に他の光源部４０２の電源側端子４２２が接続されると、スイッチング素子Ｑ４０２がオフし、拡張側端子４２３に接続された光源部４０２に電力を供給するように構成されている。これにより、光源部４０２同士を連結するだけで容易に光源部４０２を直列接続することができる。したがって、実施形態１のような短絡開放回路が不要となる。
【０１１９】
また、各光源部４０２に同一の点灯電流Ｉ４０１が供給されるので、光源部４０２間の始動ばらつきも低減することができる。
【０１２０】
（実施形態５）
本実施形態の有機ＥＬ素子点灯装置５０１の回路構成図を図１０に示す。
【０１２１】
本実施形態の有機ＥＬ素子点灯装置５０１は、整流回路５１１と降圧チョッパ回路５１２と制御部５１３と電流検出部５１４と目標設定部５１５とコンパレータ５１６と点灯数制御部５１７とで構成される。
【０１２２】
整流回路５１１は、交流電源Ｅ５０１に接続されており、交流電源Ｅ５０１の交流電圧を整流平滑して降圧チョッパ回路５１２に出力する。
【０１２３】
降圧チョッパ回路５１２（電流供給部）は、スイッチング素子Ｑ５０１とインダクタＬ５０１とコンデンサＣ５０１とダイオードＤ５０１とで構成されている。整流回路５１１の出力端間に、スイッチング素子Ｑ５０１とインダクタＬ５０１とコンデンサＣ５０１との直列回路が接続され、インダクタＬ５０１とコンデンサＣ５０１との直列回路と並列に、回生用のダイオードＤ５０１が接続されている。そして、制御部５１３によって、スイッチング素子Ｑ５０１がスイッチング制御されることで、コンデンサＣ５０１の両端に点灯電圧Ｖ５０１を生成する。
【０１２４】
また、抵抗Ｒ５０２と光源部５０２とスイッチング素子Ｑ５０２との直列回路が、コンデンサＣ５０１に対して４つ並列接続されている。光源部５０２は、１乃至複数の有機ＥＬ素子で構成されており、図１０では、リーク抵抗Ｒ５０３，直列等価抵抗Ｒ５０４，等価容量Ｃ５０２を並列に接続した等価回路で示している。なお、各光源部５０２は、同種・同サイズのものが用いられる。そして、降圧チョッパ回路５１２から供給される点灯電流Ｉ５０１を分流した電流が各光源部５０２に流れることで、各光源部５０２が点灯する。
【０１２５】
点灯数制御部５１７は、４つのスイッチング素子Ｑ５０２とスイッチ制御部５１７ａとで構成される。各スイッチング素子Ｑ５０２は、光源部５０２に直列接続されており、スイッチ制御部５１７ａは、外部から入力される点灯制御信号に基づいてスイッチング素子Ｑ５０２のオン・オフを制御する。スイッチング素子Ｑ５０２がオフされた場合、このスイッチング素子Ｑ５０２に直列接続された光源部５０２は、電流経路が遮断されるので、消灯することとなる。したがって、スイッチ制御部５１７ａが、点灯制御信号に基づいて、スイッチング素子Ｑ５０２をオン・オフすることで、点灯させる光源部５０２の数を制御することができる。また、光源部５０２は着脱自在に構成されており、各光源部５０２は並列接続されているので、光源部５０２を取り外した場合でも、他の光源部５０２に電流を供給し点灯させることができる。
【０１２６】
電流検出部５１４は、抵抗Ｒ５０１で構成されており、抵抗Ｒ５０１の両端電圧を点灯電流Ｉ５０１の検出値としてコンパレータ５１６に反転入力端子に出力する。
【０１２７】
また、コンパレータ５１６の非反転入力端子には目標設定部５１５が接続されており、目標設定部５１５から点灯電流Ｉ５０１の目標値が出力される。
【０１２８】
そして、制御部５１３は、コンパレータ５１６の出力に基づき、スイッチング素子Ｑ５０１をスイッチング制御することで、点灯電流Ｉ５０１が目標値と一致するように、点灯電流Ｉ５０１のフィードバック制御を行っている。
【０１２９】
始動時において、目標設定部５１５は、点灯電流Ｉ５０１の目標値をゼロから定常点灯時の目標値まで徐々に増加させる（スイープ期間Ｔｓｗ）。制御部５１３は、点灯電流Ｉ５０１の検出値が目標値と一致するようにフィードバック制御するので、点灯電流Ｉ５０１が徐々に増加し、光源部５０２が点灯する。したがって、実施形態１と同様に、サージ電流を抑制すると共に、始動ばらつきを低減することができる。
【０１３０】
本実施形態では、各光源部５０２は並列接続されている。したがって、定常点灯時における点灯電圧Ｖ５０１が同一である場合、点灯させる光源部５０２の数が少ないほど、有機ＥＬ素子点灯装置５０１から出力されるサージ電流が低減し、回路ストレスが低減される。したがって、本実施形態では、点灯させる光源部５０２の数が少なくなるにつれて、目標設定部５１５はスイープ期間Ｔｓｗを短くする。目標設定部５１５は、点灯制御信号や、着脱検出スイッチによる光源部５０２の機械的な接続状態や、点灯電圧Ｖ５０１，点灯電流Ｉ５０１の電気特性の増減等に基づいて、点灯させる光源部５０２の数を把握し、スイープ期間Ｔｓｗを決定する。また、点灯させる光源部５０２の数が所定数以上であれば、所定のスイープ期間Ｔｓｗを設定し、所定数未満であればスイープ期間Ｔｓｗをゼロにする段階的なものも考えられる。
【０１３１】
このように、点灯させる光源部５０２の数が少なくなるにつれて、スイープ期間Ｔｓｗを短くすることで、始動開始から定常点灯状態に至るまでの時間を短縮化することができる。
【０１３２】
（実施形態６）
本実施形態の照明器具６０１の概略図を図１１に示す。
【０１３３】
本実施形態の照明器具６０１は、実施形態１〜５のうちいずれか１つの有機ＥＬ素子点灯装置６０２と、有機ＥＬ素子を有するパネル型の光源部６０３とを搭載したものである。
【０１３４】
有機ＥＬ素子点灯装置６０２と複数（図示例では４つ）の光源部６０３は、薄型の器具本体６０４に取り付けられている。有機ＥＬ素子点灯装置６０２は、器具本体６０４の裏面側から取り付けられ、器具本体６０４の表面側に取り付けられた光源部６０３の各々と電気的に接続されている。そして、各光源部６０３は、有機ＥＬ素子点灯装置６０２から点灯電流が供給されることで点灯する。
【０１３５】
また、照明器具６０１は、実施形態１〜５のうちいずれか１つの有機ＥＬ素子点灯装置６０２を備えている。したがって、実施形態１〜５と同様に、始動時においてサージ電流を低減すると共に、始動ばらつきを抑制することができるという効果を得ることができ、信頼性の高い照明器具６０１を提供することができる。
【０１３６】
また、このような照明器具６０１によれば、薄型化を図ることができ、例えば、屋内照明として好適なものとなる。
【０１３７】
また、光源部６０３は、各々自由に取り付け・取り外しすることができ、有機ＥＬ素子点灯装置６０２は、光源部６０３の着脱に対応すると共に光源部６０３を個別に点灯・消灯制御することができる。
【符号の説明】
【０１３８】
１０１  電源部
１０２  電流供給部
１０３  制御部
１０４  目標設定部
１０５  電流検出部
１０６  電圧検出部
１０７  短絡開放回路（短絡開放手段）
１０８  コンパレータ
１０９  光源部
【図１】
0005870294.tif 000002
【図２】
0005870294.tif 000003
【図３】
0005870294.tif 000004
【図４】
0005870294.tif 000005
【図５】
0005870294.tif 000006
【図６】
0005870294.tif 000007
【図７】
0005870294.tif 000008
【図８】
0005870294.tif 000009
【図９】
0005870294.tif 000010
【図１０】
0005870294.tif 000011
【図１１】
0005870294.tif 000012
【図１２】
0005870294.tif 000013